(57)【要約】  【課題】  通信試験装置と被試験装置とがどのようなメッセージのやり取りをしたときに信号が劣化するのかを正確に示すことができる通信試験装置を提供する。  【解決手段】  第１および第２エミュレータ１１、１２は、各々、被試験装置８に信号を送信し、被試験装置８からの信号を受信する少なくとも１つの信号送受信部５、６を含み、この信号送受信部５、６は、被試験装置８に信号を送信した時刻が示された送信時刻情報と被試験装置８から信号を受信した時刻が示された受信時刻情報とを生成する時刻情報生成部５ａ、６ａと、被試験装置８に送信した信号が表わす情報と被試験装置８から受信した信号が表わす情報とに送信時刻情報と受信時刻情報とを夫々付加し、付加した情報を通信試験のトレース結果情報として蓄積する蓄積部５ｂ、６ｂとを有する。【選択図】  図１
2005286841.tif 000002
【特許請求の範囲】
【請求項１】
無線通信を実行する第１エミュレータ（１１）と、有線通信を実行する第２エミュレータ（１２）とを備え、前記無線通信と前記有線通信とを中継する被試験装置に対して通信試験を実行する通信試験装置(１０)であって、
前記第１および第２エミュレータは、各々、前記被試験装置に信号を送信し、前記被試験装置からの信号を受信する少なくとも１つの信号送受信部（５、６）を含み、
前記信号送受信部は、前記被試験装置に前記信号を送信した時刻が示された送信時刻情報と前記被試験装置から前記信号を受信した時刻が示された受信時刻情報とを生成する時刻情報生成部（５ａ、６ａ）と、
前記被試験装置に送信した信号が表わす情報と前記被試験装置から受信した信号が表わす情報とに前記送信時刻情報と前記受信時刻情報とを夫々付加し、付加した情報を前記通信試験のトレース結果情報として蓄積する蓄積部（５ｂ、６ｂ）とを有することを特徴とする通信試験装置。
【請求項２】
前記第１および第２エミュレータの信号送受信部の時刻情報生成部は、人工衛星からの電波を受信し、受信した電波から互いに同期した時刻情報を生成し、生成した時刻情報に基いて前記被試験装置に前記信号を送信した時刻が示された送信時刻情報と前記被試験装置から前記信号を受信した時刻が示された受信時刻情報とを生成するようにしたことを特徴とする請求項１に記載の通信試験装置。
【請求項３】
前記第１および第２エミュレータの信号送受信部は、前記被試験装置から受信した信号の符号誤りを検出し、検出した符号誤りを所定の時間毎に集計することによって前記被試験装置から受信した信号の符号誤り率を測定する測定部（５ｃ、６ｃ）を有し、
前記第１および第２エミュレータの信号送受信部の蓄積部は、前記測定部が測定した符号誤り率を表わす情報に前記時刻情報を付加し、付加した情報を前記通信試験の測定結果情報として蓄積するようにしたことを特徴とする請求項１または請求項２に記載の通信試験装置。
【請求項４】
前記通信試験のシナリオが表わされた手順情報を蓄積する手順情報蓄積部（１３ａ）と、前記制御手順情報に基いて前記第１および第２エミュレータを制御する制御信号を生成する制御信号生成部（１３ｂ）とを有し、前記第１および第２エミュレータを制御する制御ユニット（１３）を備えることを特徴とする請求項３に記載の通信試験装置。
【請求項５】
前記制御ユニットは、前記第１および第２エミュレータに前記制御信号を送信し、前記第１および第２エミュレータから前記トレース結果情報と前記測定結果情報とを受信する送受信部（１３ｃ）と、前記通信試験の試験結果を表示する表示部（１３ｄ）とを有することを特徴とする請求項４に記載の通信試験装置。
【請求項６】
前記制御ユニットの表示部は、前記測定結果を画面に表示する測定結果表示部（１４）と、前記トレース結果を前記画面に表示するトレース結果表示部（１６）と、前記測定結果が表示された画面上に第１マーカーを重畳する第１マーカー重畳部（１５）と、前記トレース結果が表示された画面上に第２マーカーを重畳する第２マーカー重畳部（１７）とを有することを特徴とする請求項５に記載の通信試験装置。
【請求項７】
前記制御ユニットの表示部は、前記第１マーカーが指し示す測定結果の時刻情報が表わす時刻と前記第２マーカーが指し示すトレース結果の時刻情報が表わす時刻とを比較し、前記第１マーカーと前記第２マーカーとが同じ時刻の測定結果とトレース結果を夫々指し示すよう前記第１マーカーと前記第２マーカーの内の何れか一方の画面上の位置を更新するようにしたことを特徴とする請求項６に記載の通信試験装置。
【請求項８】
前記制御ユニットは、前記送受信部が前記第１および第２エミュレータから受信した前記測定結果情報から前記時刻情報を抽出し、抽出した時刻情報に基いて前記被試験装置の遅延量を算出する遅延量算出部（１３ｅ）を有することを特徴とする請求項７に記載の通信試験装置。
【請求項９】
前記被試験装置は、Ｗ−ＣＤＭＡ方式の移動体通信システムにおける無線基地局であることを特徴とする請求項１から請求項８までの何れかに記載の通信試験装置。
【発明の詳細な説明】
【技術分野】
【０００１】
本発明は、通信試験装置に関し、詳しくは、Ｗ−ＣＤＭＡ方式の移動体通信システムにおける無線基地局に対して通信試験を実行する通信試験装置に関する。
【背景技術】
【０００２】
従来の通信試験装置は、全体の動作を統括する試験実行管理部と、被試験装置に対してテストデータの送受信を行う通信制御部と、ログ情報ファイルにテスト結果を記録するロギング部とを備え、被試験装置の通信試験を実行するようになっていた（例えば、特許文献１参照）。
【特許文献１】特開平０５−３７６０４号公報
【発明の開示】
【発明が解決しようとする課題】
【０００３】
しかしながら、従来の通信試験装置は、移動体通信システムにおける無線基地局が無線通信と有線通信との中継を通信規約に従って実行したのか否かを解析するとき、無線通信側の通信試験と有線通信側の通信試験を時刻同期して実行できないので、無線通信側のトレース結果と有線通信側のトレース結果とを正確に対比して解析することができなかった。
【０００４】
また、従来の通信試験装置は、無線通信と有線通信との中継における符号誤り率の推移を解析するとき、トレース結果と符合誤り率の測定結果とを関連付けて記録できないので、無線通信と有線通信との中継が実行される過程において符号誤り率がどのように推移し、通信試験装置と被試験装置とがどのようなメッセージのやり取りをしたときに信号が劣化するのかを正確に解析することができなかった。
【０００５】
本発明は、従来の問題を解決するためになされたもので、無線通信側の通信試験と有線通信側の通信試験を時刻同期して実行し、無線通信側のトレース結果と有線通信側のトレース結果とを正確に対比して解析することができ、さらに、無線通信と有線通信との中継が実行される過程において符号誤り率がどのように推移し、通信試験装置と被試験装置とがどのようなメッセージのやり取りをしたときに信号が劣化するのかを正確に解析することができる通信試験装置を提供することを目的とする。
【課題を解決するための手段】
【０００６】
本発明の通信試験装置は、無線通信を実行する第１エミュレータと、有線通信を実行する第２エミュレータとを備え、前記無線通信と前記有線通信とを中継する被試験装置に対して通信試験を実行する通信試験装置であって、前記第１および第２エミュレータは、各々、前記被試験装置に信号を送信し、前記被試験装置からの信号を受信する少なくとも１つの信号送受信部を含み、前記信号送受信部は、前記被試験装置に前記信号を送信した時刻が示された送信時刻情報と前記被試験装置から前記信号を受信した時刻が示された受信時刻情報とを生成する時刻情報生成部と、前記被試験装置に送信した信号が表わす情報と前記被試験装置から受信した信号が表わす情報とに前記送信時刻情報と前記受信時刻情報とを夫々付加し、付加した情報を前記通信試験のトレース結果情報として蓄積する蓄積部とを有する構成を有している。
【０００７】
この構成により、第１エミュレータの信号送受信部の蓄積部と第２エミュレータの信号送受信部の蓄積部は、被試験装置に送信した信号が表わす情報と被試験装置から受信した信号が表わす情報とに送信時刻情報と受信時刻情報とを夫々付加し、付加した情報を蓄積するので、符号誤りなどの測定結果がどのように推移し、通信試験装置と被試験装置とがどのようなメッセージのやり取りをしたときに信号が劣化するのかを正確に示すことができる。
【０００８】
本発明の通信試験装置は、前記第１および第２エミュレータの信号送受信部の時刻情報生成部は、人工衛星からの電波を受信し、受信した電波から互いに同期した時刻情報を生成し、生成した時刻情報に基いて前記被試験装置に前記信号を送信した時刻が示された送信時刻情報と前記被試験装置から前記信号を受信した時刻が示された受信時刻情報とを生成する構成を有している。
【０００９】
この構成により、第１エミュレータの信号送受信部の時刻情報生成部と第２エミュレータの信号送受信部の時刻情報生成部は、人工衛星からの電波を受信して時刻情報を生成するので、第１エミュレータの信号送受信部と第２エミュレータの信号送受信部とに共通の時刻情報から被試験装置に信号を送信した時刻が示された送信時刻情報と被試験装置から信号を受信した時刻が示された受信時刻情報とを生成することができる。したがって、第１エミュレータの信号送信部の蓄積部が蓄積した情報と第２エミュレータの信号送信部の蓄積部が蓄積した情報とを総合して、被試験装置が通信規約に従って通信したのか否かを判定することができる。
【００１０】
本発明の通信試験装置は、前記第１および第２エミュレータの信号送受信部は、前記被試験装置から受信した信号の符号誤りを検出し、検出した符号誤りを所定の時間毎に集計することによって前記被試験装置から受信した信号の符号誤り率を測定する測定部を有し、前記第１および第２エミュレータの信号送受信部の蓄積部は、前記測定部が測定した符号誤り率を表わす情報に前記時刻情報を付加し、付加した情報を前記通信試験の測定結果情報として蓄積する構成を有している。
【００１１】
この構成により、第１エミュレータの信号送受信部の蓄積部と第２エミュレータの信号送受信部の蓄積部は、符号誤り率を表わす情報に時刻情報を付加し、付加した情報を通信試験の測定結果情報として蓄積するので、符号誤り率の推移とトレース結果とを比較することができる。
【００１２】
本発明の通信試験装置は、前記通信試験のシナリオが表わされた手順情報を蓄積する手順情報蓄積部と、前記制御手順情報に基いて前記第１および第２エミュレータを制御する制御信号を生成する制御信号生成部とを有し、前記第１および第２エミュレータを制御する制御ユニットを備える構成を有している。
【００１３】
この構成により、通信試験のシナリオに応じて第１および第２エミュレータを容易に制御することができる。
【００１４】
本発明の通信試験装置は、前記制御ユニットは、前記第１および第２エミュレータに前記制御信号を送信し、前記第１および第２エミュレータから前記トレース結果情報と前記測定結果情報とを受信する送受信部と、前記通信試験の試験結果を表示する表示部とを有する構成を有している。
【００１５】
この構成により、第１および第２エミュレータから受け取ったトレース結果と測定結果の推移を画面上で比較することができる。
【００１６】
本発明の通信試験装置は、前記制御ユニットの表示部は、前記測定結果を画面に表示する測定結果表示部と、前記トレース結果を前記画面に表示するトレース結果表示部と、前記測定結果が表示された画面上に第１マーカーを重畳する第１マーカー重畳部と、前記トレース結果が表示された画面上に第２マーカーを重畳する第２マーカー重畳部とを有する構成を有している。
【００１７】
この構成により、トレース結果と測定結果とが表示された画面上に第１マーカーと第２マーカーとを重畳することができるので、第１マーカーと第２マーカーを用いてトレース結果と測定結果の特定の箇所を指し示すことができる。
【００１８】
本発明の通信試験装置は、前記制御ユニットの表示部は、前記第１マーカーが指し示す測定結果の時刻情報が表わす時刻と前記第２マーカーが指し示すトレース結果の時刻情報が表わす時刻とを比較し、前記第１マーカーと前記第２マーカーとが同じ時刻の測定結果とトレース結果を夫々指し示すよう前記第１マーカーと前記第２マーカーの内の何れか一方の画面上の位置を更新するようにした構成を有している。
【００１９】
この構成により、トレース結果と測定結果とが表示された画面上で、第１マーカーと第２マーカーとが同じ時刻の箇所を指し示すことができる。
【００２０】
本発明の通信試験装置は、前記制御ユニットは、前記送受信部が前記第１および第２エミュレータから受信した前記測定結果情報から前記時刻情報を抽出し、抽出した時刻情報に基いて前記被試験装置の遅延量を算出する遅延量算出部を有する構成を有している。
【００２１】
この構成により、第１および第２エミュレータから受信した測定結果情報から時刻情報を抽出することによって被試験装置の遅延量を容易に算出することができる。
【００２２】
本発明の通信試験装置は、前記被試験装置は、Ｗ−ＣＤＭＡ方式の移動体通信システムにおける無線基地局である構成を有している。
【００２３】
この構成により、Ｗ−ＣＤＭＡ方式の移動体通信システムにおける無線基地局に対して通信試験を実行することができる。
【発明の効果】
【００２４】
本発明は、第１エミュレータの信号送受信部の蓄積部と第２エミュレータの信号送受信部の蓄積部は、前記被試験装置に送信した信号が表わす情報と前記被試験装置から受信した信号が表わす情報とに前記送信時刻情報と前記受信時刻情報とを夫々付加し、付加した情報を蓄積するので、符号誤りなどの測定結果がどのように推移し、通信試験装置と被試験装置とがどのようなメッセージのやり取りをしたときに信号が劣化するのかを正確に示すことができるという効果を有する通信試験装置を提供することができるものである。
【発明を実施するための最良の形態】
【００２５】
以下、図１乃至３を参照し、本発明の一実施の形態の通信試験装置について説明する。
【００２６】
通信試験装置１０は、図１に示すように、無線通信を実行する第１エミュレータ１１と、有線通信を実行する第２エミュレータ１２とを備え、無線通信と有線通信とを中継する被試験装置８に対して通信試験を実行するようになっている。
【００２７】
ここで、被試験装置８は、Ｗ−ＣＤＭＡ方式の移動体通信システムにおける無線基地局である。
【００２８】
第１エミュレータ１１は、複数の信号送受信部５を含み、複数の信号送受信部５は、各々、被試験装置８に信号を送信し、被試験装置８からの信号を受信するようになっている。また、複数の信号送受信部５は、各々、図２に示すように、被試験装置８に信号を送信した時刻が示された送信時刻情報と被試験装置８から信号を受信した時刻が示された受信時刻情報とを生成する時刻情報生成部５ａと、被試験装置８に送信した信号が表わす情報と被試験装置８から受信した信号が表わす情報とに送信時刻情報と受信時刻情報とを夫々付加し、付加した情報を通信試験のトレース結果情報として蓄積する蓄積部５ｂとを有している。
【００２９】
一方、第２エミュレータ１２は、被試験装置８に信号を送信し、被試験装置８からの信号を受信する信号送受信部６を含んでいる。また、この信号送受信部６は、図３に示すように、被試験装置８に信号を送信した時刻が示された送信時刻情報と被試験装置８から信号を受信した時刻が示された受信時刻情報とを生成する時刻情報生成部６ａと、被試験装置８に送信した信号が表わす情報と被試験装置８から受信した信号が表わす情報とに送信時刻情報と受信時刻情報とを夫々付加し、付加した情報を通信試験のトレース結果情報として蓄積する蓄積部６ｂとを有している。
【００３０】
第１エミュレータ１１の信号送受信部５の時刻情報生成部５ａは、人工衛星からの電波を受信し、受信した電波から時刻情報を生成し、生成した時刻情報に基いて被試験装置８に信号を送信した時刻が示された送信時刻情報と被試験装置８から信号を受信した時刻が示された受信時刻情報とを生成するようになっている。同様に、第２エミュレータ１２の信号送受信部６の時刻情報生成部６ａは、人工衛星からの電波を受信し、受信した電波から時刻情報を生成し、生成した時刻情報に基いて被試験装置８に信号を送信した時刻が示された送信時刻情報と被試験装置８から信号を受信した時刻が示された受信時刻情報とを生成するようになっている。
【００３１】
なお、人工衛星からの電波を利用する代わりに、時刻情報生成部５ａと時刻情報生成部６ａとを有線で接続し、互いに時刻を同期させる構成としてもよい。
【００３２】
第１エミュレータ１１の信号送受信部５は、被試験装置８から受信した信号の符号誤りを検出し、検出した符号誤りを所定の時間毎に集計することによって被試験装置８から受信した信号の符号誤り率を測定する測定部５ｃを有している。また、第１エミュレータ１１の信号送受信部５の蓄積部５ｂは、測定部が測定した符号誤り率を表わす情報に時刻情報を付加し、付加した情報を通信試験の測定結果情報として蓄積するようになっている。
【００３３】
一方、第２エミュレータ１２の信号送受信部６は、被試験装置８から受信した信号の符号誤りを検出し、検出した符号誤りを所定の時間毎に集計することによって被試験装置８から受信した信号の符号誤り率を測定する測定部６ｃを有している。また、第２エミュレータ１２の信号送受信部６の蓄積部６ｂは、測定部が測定した符号誤り率を表わす情報に時刻情報を付加し、付加した情報を通信試験の測定結果情報として蓄積するようになっている。
【００３４】
また、通信試験装置１０は、通信試験のシナリオが表わされた手順情報を蓄積する手順情報蓄積部１３ａと、制御手順情報に基いて第１および第２エミュレータ１１、１２を制御する制御信号を生成する制御信号生成部１３ｂとを有し、第１および第２エミュレータ１１、１２を制御する制御ユニット１３を備えている。
【００３５】
制御ユニット１３は、さらに、第１エミュレータ１１と第２エミュレータ１２に制御信号を送信し、第１エミュレータ１１と第２エミュレータ１２からトレース結果情報と測定結果情報とを受信する送受信部１３ｃと、通信試験の試験結果を表示する表示部１３ｄとを有している。
【００３６】
制御ユニット１３の表示部１３ｄは、図４に示すように、測定結果を画面に表示する測定結果表示部１４と、トレース結果を画面に表示するトレース結果表示部１６と、測定結果が表示された画面上に第１マーカーを重畳する第１マーカー重畳部１５と、トレース結果が表示された画面上に第２マーカーを重畳する第２マーカー重畳部１７と、送受信部１３ｃが第１エミュレータ１１と第２エミュレータ１２から受信した測定結果情報を格納する測定結果メモリ１８と、送受信部１３ｃが第１エミュレータ１１と第２エミュレータ１２から受信したトレース結果情報を格納するトレース結果メモリ１９とを有している。
【００３７】
画面に表示されたトレース結果は、図５に示すように、シグナリングの詳細情報としてメッセージが何処から何処に送信されたものであるのかを示す表示１６ａと、メッセージの表示１６ｂ、パラメータの表示１６ｃ、および時刻情報の表示１６ｄとを含んでいる。また、メッセージが何処から何処に送信されたものであるのかを示す表示１６ａにおいて、縦線１６ｅ、１６ｆ、および１６ｇは、第１エミュレータ１１、被試験装置８、および第２エミュレータ１２を夫々示している。また、横線の矢印は、何処から何処にメッセージが送信されたのかを示している。
【００３８】
第２マーカーは、図６に示すように、符号誤り率のある特定の時刻が指し示せるよう、縦線状のものであってもよい。
【００３９】
制御ユニット１３の表示部１３ｄは、第１マーカーが指し示す測定結果の時刻情報が表わす時刻と第２マーカーが指し示すトレース結果の時刻情報が表わす時刻とを比較し、第１マーカーと第２マーカーとが同じ時刻の測定結果とトレース結果を夫々指し示すよう第１マーカーと第２マーカーの内の何れか一方の画面上の位置を更新するようになっている。
【００４０】
制御ユニット１３は、送受信部が第１エミュレータ１１と第２エミュレータ１２から受信した測定結果情報から時刻情報を抽出し、抽出した時刻情報に基いて被試験装置８の遅延量を算出する遅延量算出部１３ｅを有している。
【００４１】
次に、本発明の一実施の形態の通信試験装置の動作を説明する。
【００４２】
まず、制御信号が、制御ユニット１３の手順情報蓄積部１３ａに格納されたシナリオに基いて制御信号生成部１３ｂによって生成される。次いで、生成された制御信号が、送受信部１３ｃによって第１エミュレータ１１の信号送受信部５と第２エミュレータ１２の信号送受信部６に送信される。次いで、被試験装置の通信試験が、制御信号に応答して第１エミュレータ１１と第２エミュレータ１２によって実行され、第１および第２エミュレータの蓄積部５ｂおよび６ｂにトレース結果情報と測定結果情報が蓄積される。次いで、第１および第２エミュレータの蓄積部５ｂおよび６ｂに蓄積されたトレース結果情報と測定結果情報が、制御ユニット１３の送受信部１３ｃによって逐次受信され、受信されたトレース結果情報と測定結果情報は、制御ユニット１３の表示部１３ｄの測定結果メモリ１８およびトレース結果メモリ１９に蓄積される。
【００４３】
ここで、測定結果メモリ１８およびトレース結果メモリ１９に蓄積されたトレース結果情報と測定結果情報は、通信試験を実行し始めた時点から画面上に表示するようにしてもよい。
【００４４】
以上説明したように、本発明の通信試験装置は、第１エミュレータの信号送受信部の蓄積部と第２エミュレータの信号送受信部の蓄積部は、被試験装置に送信した信号が表わす情報と被試験装置から受信した信号が表わす情報とに送信時刻情報と受信時刻情報とを夫々付加し、付加した情報を蓄積するので、符号誤りなどの測定結果がどのように推移し、通信試験装置と被試験装置とがどのようなメッセージのやり取りをしたときに信号が劣化するのかを正確に示すことができる。
【００４５】
また、本発明の通信試験装置は、第１エミュレータの信号送受信部の時刻情報生成部と第２エミュレータの信号送受信部の時刻情報生成部は、人工衛星からの電波を受信して時刻情報を生成するので、第１エミュレータの信号送受信部と第２エミュレータの信号送受信部とに共通の時刻情報から被試験装置に信号を送信した時刻が示された送信時刻情報と被試験装置から信号を受信した時刻が示された受信時刻情報とを生成することができる。
【００４６】
また、本発明の通信試験装置は、第１エミュレータの信号送受信部の蓄積部と第２エミュレータの信号送受信部の蓄積部は、符号誤り率を表わす情報に時刻情報を付加し、付加した情報を通信試験の測定結果情報として蓄積するので、符号誤り率の推移とトレース結果とを比較することができる。
【００４７】
また、本発明の通信試験装置は、トレース結果と測定結果とが表示された画面上に第１マーカーと第２マーカーとを重畳することができるので、第１マーカーと第２マーカーとが同じ時刻の箇所を指し示すことができる。
【００４８】
また、本発明の通信試験装置は、第１および第２エミュレータから受信した測定結果情報から時刻情報を抽出することによって被試験装置の遅延量を容易に算出することができる。
【産業上の利用可能性】
【００４９】
以上のように、本発明にかかる通信試験装置は、被試験装置が無線通信と有線通信の中継を通信規約に従って実行したか否かを正確に解析することができ、符号誤り率がどのように推移し、通信試験装置と被試験装置とがどのようなメッセージのやり取りをしたときに信号が劣化するのかを正確に解析することができるという効果を有し、移動体通信システムにおける無線基地局に対して通信試験を実行する通信試験装置として有用である。
【図面の簡単な説明】
【００５０】
【図１】本発明の一実施の形態の通信試験装置の構成を示すブロック図
【図２】本発明の一実施の形態の通信試験装置の第１エミュレータの信号送信部の構成を示すブロック図
【図３】本発明の一実施の形態の通信試験装置の第２エミュレータの信号送信部の構成を示すブロック図
【図４】本発明の一実施の形態の通信試験装置の表示部の構成を示すブロック図
【図５】本発明の一実施の形態の通信試験装置の表示部の画面上に表示されたトレース結果情報の一例を示す図
【図６】本発明の一実施の形態の通信試験装置の表示部の画面上に表示された測定結果情報の一例を示す図
【符号の説明】
【００５１】
５  信号送受信部
５ａ  時刻情報生成部
５ｂ  蓄積部
５ｃ  測定部
５ｄ  受信部
５ｅ  送信部
６  信号送受信部
６ａ  時刻情報生成部
６ｂ  蓄積部
６ｃ  測定部
６ｄ  受信部
６ｅ  送信部
８  被試験装置
１０  通信試験装置
１１  第１エミュレータ
１２  第２エミュレータ
１３  制御ユニット
１３ａ  手順情報蓄積部
１３ｂ  制御信号生成部
１３ｃ  送受信部
１３ｄ  表示部
１３ｅ  遅延量算出部
１４  測定結果表示部
１５  第１マーカー重畳部
１６  トレース結果表示部
１７  第２マーカー重畳部
１８  測定結果メモリ
１９  トレース結果メモリ
１６ａ  メッセージが何処から何処に送信されたのかを示す表示
１６ｂ  メッセージの表示
１６ｃ  パラメータの表示
１６ｄ  時刻情報の表示
１６ｅ  第１エミュレータ側であることを示す表示
１６ｆ  被試験装置側であることを示す表示
１６ｇ  第２エミュレータ側であることを示す表示
【図１】
2005286841.tif 000003
【図２】
2005286841.tif 000004
【図３】
2005286841.tif 000005
【図４】
2005286841.tif 000006
【図５】
2005286841.tif 000007
【図６】
2005286841.tif 000008